【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
電子写真機のための補充液カートリッジを補給するための方法であって、前記補充液容器はトナーおよびキャリア粒子を含有し、この方法が、
補給のための補充液カートリッジを受容する工程と、
前記補充液カートリッジの重量を決定する工程と、
参照空補充液カートリッジ重量から前記補充液カートリッジの重量を差し引くことによって前記補充液カートリッジ中の残留材料の重量を決定する工程と、
前記補充液カートリッジのＸ線画像をとり、
前記Ｘ線画像を分析することによって前記残留材料中のキャリア粒子のパーセンテージを計算し、
前記残留材料の重量中のキャリア粒子の重量を計算する
ことによって、前記残留材料の重量中のキャリア粒子の重量を決定する工程と、
前記残留材料の重量から前記残留材料中のキャリア粒子の重量を差し引くことによって残留トナーの重量を決定する工程と、
充填された補充液カートリッジについてのトナーの参照重量から残留トナーの重量を差し引くことによって決定されるトナー量を前記補充液カートリッジに添加する工程と、
充填された補充液カートリッジについてのキャリア粒子の参照重量から残留金属の重量を差し引くことによって決定されるキャリア粒子の量を前記補充液カートリッジに添加する工程と
を含む、方法。
【請求項２】
前記キャリア粒子が、鉄、鋼、フェライト、マグネタイト、およびニッケルからなる群から選択される材料を含む、請求項１に記載の方法。
【請求項３】
前記トナーが、ポリアミド、エポキシド、ポリウレタン、ジオレフィン、ビニル樹脂、スチレンアクリレート、スチレンメタクリレート、スチレンブタジエンおよびポリエステルからなる群から選択される材料を含む、請求項１に記載の方法。
【請求項４】
前記Ｘ線画像を分析することによって前記残留材料中のキャリア粒子のパーセンテージを計算する工程は、
補給のための前記補充液カートリッジのＸ線画像中のキャリア粒子と関連するピクセルの量を決定することと、
補給のための前記補充液カートリッジの前記Ｘ線画像中のピクセルの総量を決定することと、
前記残留材料中のキャリア粒子のパーセンテージに対応する補給のための補充液カートリッジの前記Ｘ線画像中のキャリア粒子のパーセンテージを決定することと
を含む、請求項１に記載の方法。
【請求項５】
前記Ｘ線画像中の前記キャリア粒子と関連するピクセルが、前記トナー粒子と関連するピクセルとは異なる色を有する、請求項４に記載の方法。
【請求項６】
前記補給のための補充液カートリッジをシーリングすることをさらに含む、請求項１に記載の方法。
【請求項７】
前記シーリングされた補給のための補充液カートリッジを包装することをさらに含む、請求項６に記載の方法。
【請求項８】
前記トナーを添加する工程と前記キャリア粒子を添加する工程が１つのステーションで実行される、請求項１に記載の方法。
【請求項９】
電子写真機のための補充液カートリッジを補給するためのシステムであって、前記補充液容器はトナーおよびキャリア粒子を含有する、前記システムが、
少なくとも１つのコンピューティングデバイスを含み、前記少なくとも１つのコンピューティングデバイスは、
補給のための補充液カートリッジの重量を受信することと、
前記少なくとも１つのコンピューティングデバイスを用いて、参照空補充液カートリッジ重量から前記補充液カートリッジの重量を差し引くことによって前記補充液カートリッジ中の残留材料の重量を決定することと、
前記補充液カートリッジのＸ線画像または磁場に配置される場合には補充液カートリッジの磁力を受信することと、
前記少なくとも１つのコンピューティングデバイスを用いて、前記Ｘ線画像または前記磁力を分析することによって前記残留材料中のキャリア粒子の重量を決定することと、
前記少なくとも１つのコンピューティングデバイスを用いて、前記残留材料の重量中のキャリア粒子の重量を決定することと、
前記残留材料の残留重量から前記キャリア粒子の重量を差し引くことによって前記補充液カートリッジ中の残留トナーの重量を決定することと、
充填された補充液カートリッジについてのトナーの参照重量から残留トナーの重量を差し引くことによって決定されたトナー量を前記補充液カートリッジに添加することと、
充填された補充液カートリッジについてのキャリア粒子の参照重量から残留金属の重量を差し引くことによって決定されるキャリア粒子の量を前記補充液カートリッジに添加することと
を含む動作を行うように構成される、システム。
【請求項１０】
前記Ｘ線画像を分析することによって前記残留材料中のキャリア粒子の重量を決定することは、
補給のための前記補充液カートリッジの前記Ｘ線画像中のキャリア粒子と関連するピクセルの量を決定することと、
前記補充液カートリッジの前記Ｘ線画像中のピクセルの総量を決定することと、
前記残留材料中のキャリア粒子のパーセンテージに対応する補充液カートリッジの前記Ｘ線画像中のキャリア粒子のパーセンテージを決定することと
を含む、請求項９に記載のシステム。
【請求項１１】
前記磁力を分析することによって前記残留材料中のキャリア粒子の重量を決定することは、
前記磁場中の前記補充液カートリッジの磁力を決定することと、
前記磁力から前記補充液カートリッジ中のキャリア粒子の重量を計算することと
を含む、請求項９に記載のシステム。
【請求項１２】
前記補充液カートリッジをシーリングすることをさらに含む、請求項９に記載のシステム。
【請求項１３】
前記シーリングされた補充液カートリッジを包装することをさらに含む、請求項１２に記載の方法。
【請求項１４】
電子写真機のための補充液カートリッジを補給するための方法であって、補充液容器はトナーおよびキャリア粒子を含有し、この方法が、
補給のための補充液カートリッジを受容する工程と、
前記補充液カートリッジの重量を決定する工程と、
参照空補充液カートリッジ重量から前記補充液カートリッジの重量を差し引くことによって前記補充液カートリッジ中の残留材料の重量を決定する工程と、
磁場中に前記補充液カートリッジを配置し、
磁場中の前記補充液カートリッジの磁力を決定し、
前記補充液カートリッジ中のキャリア粒子の重量を計算する
ことによって前記残留材料の重量中のキャリア粒子の重量を決定する工程と、
前記残留材料の重量から前記残留材料中のキャリア粒子の重量を差し引くことによって残留トナーの重量を決定する工程と、
充填された補充液カートリッジについてのトナーの参照重量から残留トナーの重量を差し引くことによって決定されるトナーの量を前記補充液カートリッジに添加する工程と、
充填された補充液カートリッジについてのキャリア粒子の参照重量から残留金属の重量を差し引くことによって決定されるキャリア粒子の量を前記補充液カートリッジに添加する工程と
を含む、方法。
【請求項１５】
前記磁力が、前記補充液カートリッジ内のオーガーおよび顧客交換可能なユニットモニタからなる群から選択される磁性アイテムを差し引くことによって減じられる、請求項１４に記載の方法。
【請求項１６】
前記補充液カートリッジをシーリングすることをさらに含む、請求項１４に記載の方法。
【請求項１７】
前記シーリングされた補充液カートリッジを包装することをさらに含む、請求項１４に記載の方法。
【請求項１８】
前記キャリア粒子が、鉄、鋼、フェライト、マグネタイト、およびニッケルからなる群から選択される材料を含む、請求項１４に記載の方法。
【請求項１９】
前記トナーが、ポリアミド、エポキシド、ポリウレタン、ジオレフィン、ビニル樹脂、スチレンアクリレート、スチレンメタクリレート、スチレンブタジエンおよびポリエステルからなる群から選択される材料を含む、請求項１４に記載の方法。
【請求項２０】
前記トナーを添加する工程と前記キャリア粒子を添加する工程が１つのステーションで実行される、請求項１４に記載の方法。
【手続補正２】
【補正対象書類名】明細書
【補正対象項目名】発明の名称
【補正方法】変更
【補正の内容】
【発明の名称】補充液カートリッジを補給するための方法及びシステム